(57)【要約】【課題】粘着テープの切断具に粘着テープ先端を折り曲げ畳む機構を備えた、使用後の用済粘着テープ先端を摘み、剥がし易くする機能を提供する【解決手段】本発明と既存の粘着テープを組み合わせ本発明で形成した折り曲がり部分３に既存の粘着テープを貼り付け（図２−ウ）、同じく本発明で形成された接触棚可動部分４と折り曲がり部分３を２本の指で摘むことで折り曲がり部分３は折り曲がり粘着テープは本体から剥がれ指を離せば折り曲がり部分は自在に戻り、摘まれた粘着テープ（図２-オ）は指の圧力で粘着面通しが密着され、任意の長さに切断後（図２−カ）、所望のものに貼り付け折り畳まれ粘着面通しが密着した部分を摘むことで剥がし易くすることが出来る。【選択図】図２
2008303023.tif 000002
【特許請求の範囲】
【請求項１】
本発明のＵ字形状による弾力性を活かした機構と僅かな指の力で粘着テープ先端部分を折り曲げ粘着面通しが摘めるほどの長さで付着しあい、任意に切断、貼り付け後の、用済粘着テープ先端を摘み剥し易くすることを特徴とする、粘着テープ先端を折り曲げ畳む機構を備えた切断具。
【請求項２】
粘着テープ先端に折り畳みを作り、折り畳まれた粘着テープ先端を摘まめるようにする機構で次回使用時以降、この機構により粘着テープの粘着面部分を触らずに、折り畳み部分を摘むことで粘着テープを引き出せる機構を備えた粘着テープ用切断具。
【請求項３】
本発明のＵ字形状による弾力性を活かした機構は、その形状と素材特性を設計に反映することで、粘着テープを折り畳んだ後、本機構の切断具先端部分は指を放し開放すれば、もとの位置に簡単、自在に戻り機構を複雑にせず量産時の経済性を考慮された発明である。
【発明の詳細な説明】
【技術分野】
【０００１】
本発明は粘着テープの切断具に関するものであるが、粘着テープ切断具を使用して粘着テープ先端を折り曲げ畳み、引き出し易くし切断前に使用後の摘み易くなった用済粘着テープ先端を摘み剥し易くする機構に関するものである。
【背景技術】
【０００２】
粘着テープの切断具の多くは粘着テープの切断だけのために設計、生成されており使用後の用済粘着テープを簡単に剥がせるようにと要望を有する使用者もいるが、用済粘着テープを剥がし易くするための機能を備えた切断具は過去に無く、その機能を備えた切断具があれば便利である。
仮に用済粘着テープを爪などで剥がすか別の器具を用いる以外に、この要望を満たす手段はないが、親切心から剥がせるように粘着テープ先端を指で折り曲げる使用者もいるが本発明は、その要望と親切心を満たすことが出来る。簡単に貼れる粘着テープでありながら簡単に剥がせるとは言い切れずこのままでは不都合である。
【０００３】
また粘着テープを引き出す時に粘着面側を触らないで引き出せるようにと要望する使用者や従来の方法で粘着テープを引き出すとき粘着面側に指紋などが付くことを嫌う使用者もいるが、片手で粘着面を触らずに粘着テープを切断する切断具はあっても、用済粘着テープを剥がし易くすることを目的とした機構と粘着面部分を触らないで粘着テープを引き出せることの両方を満たす粘着テープ用切断具は過去に無い。
【０００４】
用済粘着テープの廃棄に対しても分別ゴミの可燃で出す使用者が多く、環境問題の見地からも、毎年、消費される合成樹脂系の粘着テープの量は、そして使用後の用済粘着テープが廃棄される量は甚大なものであり、剥がし易くして分別しやすくし少しでもＣＯ２の排出を押さえる要望を満たすことに寄与することができる。
【特許文献１】特開２００５−１１４００７
【特許文献２】特開９−１８８４６８
【発明の開示】
【発明が解決しようとする課題】
【０００５】
解決しようとする問題点は、粘着テープの切断具に粘着テープ先端を折り曲げ畳む機能を備え、用済粘着テープ先端を摘み剥がし易くする機構を提供しようとする点である。
【課題を解決するための手段】
【０００６】
本発明の機構はＵ字形状の弾力性の特徴を設計に活かし粘着テープの切断具に粘着テープ先端を折り曲げ畳み、用済粘着テープを剥がし易くする機能を最も主要な特徴とする。
【発明の効果】
【０００７】
本発明は切断具をＵ字形状にすることで、粘着テープを摘み易くし指で圧力を加え粘着面通しが折り曲げ畳まれる時にＵ字形状本体の指で折り曲げられた部分は指を離すことで自在に元の位置に戻ることにより以後の一連の連続動作を可能にしたＵ字形状を最大限に活かし、機構を単純にできる利点がある。
【発明を実施するための最良の形態】
【０００８】
本発明の切断具はＵ字形状の弾力性の特徴を活かし指の力で折り曲げられた切断具先端部分は指を放せば、もとの位置に自在に戻り、機構を複雑にせず、部品数も少なく、量産時の工程数も少なく経済性を考慮し実現された。
【実施例１】
【０００９】
図１は本考案のＵ字形状本体１の側面図で、２は僅かな指の力で折り曲がり易くする機構、３は切断具先端部分を含んだ折り曲がり部、４は該接触可動棚部、５は該接触棚可動部、６は粘着テープを抱え込み、本体を安定させる凸部の機構である。
【００１０】
切断具先端部分を含んだ折り曲がり部３は僅かな指の力で折り曲がり易くする機構２の特徴が活かされ粘着テープが折り曲げ畳まれるときに該接触可動棚部４の方向に曲がることで近づき図２の図２−エ（点線部分）のように指を３から離せば自在に元の位置に戻る。
【００１１】
図２の実施例は粘着テープＴが折り曲げられ粘着テープ先端部分が折り畳まれるまでの一連の動作を連続図で示したものである。図２−アは２と３の特徴を活かし粘着テープ本体Ｔの中心部分の空洞に設置された実施例、図２−イは粘着テープを本発明の機構に設置する方法で粘着テープ先端部分Ｔを折り曲がり部３の切断具先端部分に設置されるまでの図であり、図２−ウは完了した実施例である。図２−オは粘着テープＴ先端が指の力で折り曲げられた状態の実施例で図２−カは粘着テープＴが指の力で折り畳まれ粘着面通しが密着した最終実施例であり、その後の粘着テープを任意の長さで切断し任意のものに付着させた後、用済粘着テープ先端を摘み剥がし易くさせた完成実施例である。
【００１２】
図３は本発明本体の３面図であり粘着テープＴのｗ（図２−カ）より１のｗ’の幅が大きく粘着テープｔ（図２−ウ）より１の内側寸法t’の幅が僅かに大きいことで本発明１は粘着テープＴを抱え込むことで実施される。
【００１３】
また図３のＢ−Ｂ‘の点線は本発明実施時の金型などの金型合わせのパーティングラインであり１の形状を簡単に形成できるが一部３の指受け部分（図５−イの３ａ）はスライド型を必要として表現されているが本発明の主旨とは関係ない。
【００１４】
図４は本発明実施例の斜視図であり折り曲げなどの時の２と切断具先端部分を含んだ折り曲がり部３が切り離されないで一体であり折り曲げの効果を活かす設計であることを確認できる図である。
図４−ア１は定位置で４−ア１‘は３を折り曲げた時に２の部分が僅かな指の力で開き３と４の距離が短くなった図であり、４−ア２、４−ア２'は反転させて見た時、本体の反り返り部分が一体で側壁（図５−ア２ｂ）だけが開かれた実施例であり、さらに切断時の粘着テープを切断歯３ｃに押し当てた時の切断具の安定と押しつけた力で粘着テープの切断を容易にしてくれる側壁２ｂの実施例である。
【００１５】
図５−アが僅かな指の力で折り曲がり易くする機構２、図４−ア２‘の拡大斜視図である。２ａは該溝であり素材の特徴を助長する役目で、お年寄り、女性や子供などの僅かな指の力で本体を曲げられるように工夫された実施例である。
【００１６】
図５−イは切断具先端部分の拡大斜視図で粘着テープ先端が常に付着するよう実施される
該棚部３ｂ、３ｃは切断歯、３ａは粘着テープと３を折り曲げる時に指を置く該指受けの実施例である。
【００１７】
図５−ウの斜視図は該接触可動棚部で一連の効果を安定さるためテープ粘着面側が付着するよう、また別の指先が触れられ、折り曲げ時の支点にする該棚部４、さらに粘着テープ本体の直径が使用頻度によって減少していくのに対応するよう角度が自在に変化（図５のウの４ａ‘）し内側に曲がり易く形成した該接触可動棚部４ａの実施例である。
【００１８】
図５−エは該接触棚可動部５ａが粘着テープ本体の直径が使用頻度によって減少し角度が変化するので、５ａ’のように粘着テープが引き出されるときの回転方向に折れ曲がるように素材の特徴を活かした実施例の斜視図である。
【００１９】
図５−オは粘着テープと本発明本体１とを抱え込み安定させるための凸部６ａの実施例の斜視図である。
【実施例２】
【００２０】
図６の実施例は粘着テープと本発明の実施を組み合わせた状態で形状からも本機構の機能を見ることができ従来の一般に普及している粘着テープと切断具の組み合わせのものと区別される。
【実施例３】
【００２１】
挟み込み部７を本機構に一体化した切断具（図７‐ア、図７‐ア回転）は従来の市販されている切断具に取り付けることが出来き、実施例としては図７‐イのように従来の普及している切断具に取り付けられ、図７‐ウの大型の事務用切断具用にも適用できる。図７‐エは包装用の大型粘着テープ切断具、荷造り専用の粘着テープ切断具などの業務用の場合にも用途に応じて適用することが出来、大いに役立つ。
【産業上の利用可能性】
【００２２】
本発明の特徴を活かし、多くの工程と複雑な機構を必要とせずに、きわめて簡単な形成と操作で所望の粘着テープ先端を摘み折り曲げ畳むことで、用済粘着テープ先端の畳まれ摘みやすくなった部分を摘めば簡単に剥がせることが出来き、各粘着テープの用途にも適応できる。
【図面の簡単な説明】
【００２３】
【図１】実施形態を示す側面図である。
【図２】一連動作説明、連続図である。
【図３】三面図。
【図４】実施形態の斜視図である。
【図５】本発明の細部説明斜視図である。
【図６】粘着テープと本発明の組み合わせ図である。
【図７】既存商品への応用図である。
【符号の説明】
【００２４】
１  粘着テープ先端を折り畳む機構を備えた用済後剥がし易くする切断具
２  折り曲がりやすくする部分
３  切断具先端部を含んだ折り曲がる部分
４  該接触可動棚部分
５  該接触棚可動部分
６  粘着テープ抱え込み部分
Ｔ  粘着テープ
【図１】
2008303023.tif 000003
【図２】
2008303023.tif 000004
【図３】
2008303023.tif 000005
【図４】
2008303023.tif 000006
【図５】
2008303023.tif 000007
【図６】
2008303023.tif 000008
【図７】
2008303023.tif 000009